(57)【要約】【課題】ハンドル操作の解除によりリトラクタが戻るときに発生する衝撃音を抑制するとともに、速やかなラッチボルトの進退を両立したラッチ装置を提供する。【解決手段】ラッチ装置３は、ハンドル１７の操作に応じて操作方向にリトラクタ３５を回動させ、リトラクタ３５の周面に延出するリトラクタレバー３５ａによってラッチボルト３１をケース１１から後退する方向に押し込む。このラッチ装置３には、ハンドル１７の操作解除に伴い、リトラクタ３５を元の角度へ戻す方向に回動させる戻しバネ３５ｃと、リトラクタ３５の戻り角度を規制する戻し回動規制突片３５ｅとストッパ３６を設けられる。更に、ラッチ装置３には、リトラクタ３５に対して操作方向のトルクを与える戻り制御レバー３７を設ける。戻り制御レバー３７は、戻しバネ３５ｃによるリトラクタ３５の戻し勢いを緩和する。【選択図】図１
2014181474.tif 000002
【特許請求の範囲】
【請求項１】
錠装置又は空錠装置に設けられ、ラッチボルトをケースから進出する方向に付勢するラッチ装置であって、
ハンドル操作の操作方向に応じて前記ラッチボルトを前記ケースから後退する方向に押し込むリトラクタと、
前記ハンドル操作の解除に伴い、前記リトラクタを元の角度へ戻す方向に回動させる戻しバネと、
前記リトラクタの近傍に設けられた一方の回動規制部、及び前記リトラクタの周面から延出した他方の回動規制部より成り、当接により前記リトラクタの戻り角度を規制する回動規制手段と、
前記リトラクタに対して前記操作方向のトルクを与えて、前記戻しバネによる前記リトラクタの戻し勢いを緩和する戻り制御手段と、
を備えること、
を特徴とするラッチ装置。
【請求項２】
前記戻り制御手段は、前記リトラクタの外周囲に前記操作方向への押圧力を与えるレバーであること、
を特徴とする請求項１記載のラッチ装置。
【請求項３】
前記戻り制御手段が前記リトラクタに与えるトルクは、前記リトラクタが元の角度に戻る方向に与えられるトルクよりも小さく調整されていること、
を特徴とする請求項１又は２記載のラッチ装置。
【請求項４】
前記リトラクタは、当該リトラクタの周面から延出し、前記操作方向へのリトラクタの回動に応じて前記ラッチボルトを前記ケースから後退する方向に押し込むリトラクタレバーを備え、
前記戻り制御手段による前記リトラクタの押圧箇所は、前記リトラクタが戻し方向に回動する過程で、前記リトラクタの円周面から前記リトラクタレバーの基端を通過し、前記リトラクタレバーを登るように変位すること、
を特徴とする請求項１乃至３の何れかに記載のラッチ装置。
【請求項５】
前記戻り制御手段による前記リトラクタの押圧箇所は、前記リトラクタが戻し方向に回動する過程で、前記リトラクタの回動中心から離れていくこと、
を特徴とする請求項１乃至３の何れかに記載のラッチ装置。
【発明の詳細な説明】
【技術分野】
【０００１】
本発明は、錠装置又は空錠装置に備えられる仮締め用のラッチ装置に関する。
【背景技術】
【０００２】
扉が風に煽られて開閉が生じないように、ラッチボルトをストライクに進出させることで扉を扉枠に仮締めする錠装置又は空錠装置が多く用いられている。錠装置は、施錠時に突出するデッドボルトをラッチボルトと併設し、空錠装置はデッドボルトを備えていない。
【０００３】
ラッチボルトは、ラッチバネの付勢力によりストライクに進出する一方で、ハンドルに従動して回動するリトラクタに延出されたリトラクタレバーにより、ラッチボルトから延出する受け板がラッチバネを圧縮しつつ押し込まれることで、ストライクから後退する。ラッチボルトには、進退方向を案内する案内部や後退量を規制する突起部が係合することもある。リトラクタには、ハンドル操作により変位した回動角度を復帰させる戻しバネが設けられていたり、リトラクタの回動を規制するために、戻し回動規制突片やストッパからなる回動規制手段が設けられていたりする。
【０００４】
このようなラッチボルトを進退させるラッチ装置部分では、これら各種部材の衝突や擦れ合いにより衝突音や擦れ合い音が発生する。そこで、そのような衝突音や擦れ合い音を抑制するために、様々な消音対策が採られている。
【０００５】
例えば、案内部とリトラクタとの衝突音を軽減するために、両者に隙間を設けて衝突自体を回避したり、戻し回動規制突片とストッパとの当接により、リトラクタの回動を規制したり、部材同士が衝突する箇所を緩衝素材で被覆している（例えば、特許文献１参照）。また、リトラクタの外周囲に複数の弾性柱体を当接させ、弾性柱体の弾性力をリトラクタに作用させることで、リトラクタの衝撃を吸収するものもある（例えば、特許文献２参照）。
【先行技術文献】
【特許文献】
【０００６】
【特許文献１】特開２００９−２８７２５６号公報
【特許文献２】特開２０１０−６５４４０号公報
【発明の概要】
【発明が解決しようとする課題】
【０００７】
しかしながら、リトラクタから戻し回動規制突片を延出し、リトラクタの近傍にストッパを設けることで、リトラクタの回動を規制するラッチ装置では、リトラクタの戻りによって戻し回動規制突片とストッパとが勢いよく衝突してしまい、両者自体が衝突音発生源となっていた。戻し回動規制突片とストッパとを緩衝素材で被覆することも考えられるが、緩衝素材の摩耗が激しく現実的ではない。
【０００８】
更に、リトラクタの外周囲に複数の弾性柱体を当接させる態様においては、リトラクタの回動が操作方向及び戻し方向の両方で絶えず鈍くなってしまい、ハンドル操作とハンドル操作解除に対するラッチボルトの進退に即応性が失われてしまう。また、リトラクタと弾性柱体との当接が不快なハンドル操作感を与えてしまうおそれもある。
【０００９】
本発明は、上記のような従来技術の問題点を解決するために提案されたもので、ハンドル操作の解除によりリトラクタが戻るときに発生する衝撃音の抑制と、速やかなラッチボルトの進退を両立したラッチ装置を提供することを目的とする。
【課題を解決するための手段】
【００１０】
上記目的を達成するために、本発明に係るラッチ装置は、錠装置又は空錠装置に設けられ、ラッチボルトをケースから進出する方向に付勢するラッチ装置であって、ハンドル操作の操作方向に応じて前記ラッチボルトを前記ケースから後退する方向に押し込むリトラクタと、前記ハンドル操作の解除に伴い、前記リトラクタを元の角度へ戻す方向に回動させる戻しバネと、前記リトラクタの近傍に設けられた一方の回動規制部、及び前記リトラクタの周面から延出した他方の回動規制部より成り、当接により前記リトラクタの戻り角度を規制する回動規制手段と、前記リトラクタに対して前記操作方向のトルクを与えて、前記戻しバネによる前記リトラクタの戻し勢いを緩和する戻り制御手段と、を備えること、を特徴とする。
【００１１】
前記戻り制御手段は、前記リトラクタの外周囲に前記操作方向への押圧力を与えるレバーとしてもよい。
【００１２】
前記戻り制御手段が前記リトラクタに与えるトルクは、前記リトラクタが元の角度に戻る方向に与えられるトルクよりも小さく調整されているようにしてもよい。
【００１３】
前記リトラクタは、当該リトラクタの周面から延出し、前記操作方向へのリトラクタの回動に応じて前記ラッチボルトを前記ケースから後退する方向に押し込むリトラクタレバーを備え、前記戻り制御手段による前記リトラクタの押圧箇所は、前記リトラクタが戻し方向に回動する過程で、前記リトラクタの円周面から前記リトラクタレバーの基端を通過し、前記リトラクタレバーを登るように変位するようにしてもよい。
【００１４】
前記戻り制御手段による前記リトラクタの押圧箇所は、前記リトラクタが戻し方向に回動する過程で、前記リトラクタの回動中心から離れていくようにしてもよい。
【発明の効果】
【００１５】
本発明によれば、リトラクタが元の角度に戻る勢いは大幅に減殺されるため、回動規制部同士が勢いよく衝突し、激しい衝突音が発生することを抑制できる。また、戻り制御手段は、リトラクタの操作方向への回動を阻害する要因にはならないため、ハンドルの円滑な操作感を損なうことなく、且つラッチボルトのストライクからの速やかな退出を実現できる。
【図面の簡単な説明】
【００１６】
【図１】本実施形態に係るラッチ装置を有する錠装置の構成図であり、ラッチボルトが後退した状態を示す。
【図２】本実施形態に係るラッチ装置を有する錠装置の構成図であり、ラッチボルトの進出途中段階を示す。
【図３】本実施形態に係るラッチ装置を有する錠装置の構成図であり、ラッチボルトの進出終了段階であって、リトラクタの回動を規制する回動規制突片とストッパとが衝突段階を示す。
【図４】戻り制御レバーを示す斜視図である。
【図５】リトラクタが戻る過程での回動規制突片とネジ穴との距離、戻り制御レバーの先端とリトラクタの回動中心との距離、戻り制御レバーのトルク変化、及びリトラクタの戻し方向のトルク変化の関係を示すグラフである。
【発明を実施するための形態】
【００１７】
（構成）
本実施形態に係るラッチ装置を有する錠装置の構成を図１乃至図３を参照しつつ説明する。錠装置１は、デッドボルト２１により扉と扉枠とを本締めし、ラッチボルト３１により仮締めする。この錠装置１は、金属からなる扁平四角箱状のケース１１にて外殻が形成される。ケース１１の一側面は、その両端辺から面の長手方向に延出する固定板１２により形成される。錠装置１は、固定板１２を扉の木口に平行に沿わせ、且つ扉枠のストライクに対面させつつ、固定ビス１３で固定板１２と木口とをビス留めすることにより、扉の木口に組み込まれて固定される。固定板１２は、扉の木口と面一のフロント板１４により覆い隠される。
【００１８】
以下、ケース１１を形成する面のうち、フロント板１４により覆われる面をフロント面１１ａ、フロント面１１ａと対向する側面を奥面１１ｂ、フロント面１１ａと奥面１１ｂとで挟まれる側面を底面１１ｃ及び上面１１ｄ、そしてフロント面１１ａ、奥面１１ｂ、底面１１ｃ、及び上面１１ｄで囲まれる面を内平面１１ｅと呼ぶ。
【００１９】
デッドボルト２１とラッチボルト３１はケース１１に対して出没自在に内設される。フロント面１１ａには縦２箇所に矩形の進退開口穴１５，１６が形成されている。デッドボルト２１は、一方の進退開口穴１５を介して扉の木口から扉枠のストライクに対して進退する。ラッチボルト３１は、他方の進退開口穴１６を介して扉の木口から扉枠のストライクに対して進退する。デッドボルト２１は施錠のためにストライクに進出して扉を扉枠に係止し、ラッチボルト３１は、扉が風で煽られないようにストライクに進出して扉を扉枠に係止する。
【００２０】
デッドボルト２１の上側には、先端が上側に屈曲したカマデッドボルト２２が設けられる。カマデッドボルト２２は、デッドボルト２１の進退に従動し、先端を振り上げるように円弧運動して、デッドボルト２１から突出し、デッドボルト２１と同じ進退開口穴１５から進出し、ストライクの背面に係止する。
【００２１】
ケース１１内部には、デッドボルト２１を進退させるデッドボルト駆動部２と、ラッチボルト３１を進退させるラッチ装置３とが内設されている。デッドボルト駆動部２は、デッドボルト２１の他、シリンダ錠やサムターン（不図示）に係合するダルマ２３等の係合部材を有し、シリンダ錠やサムターンからトルクを受けたダルマ２３の回動により、デッドボルト２１を進退させる。
【００２２】
ラッチ装置３は、ラッチバネ３２ａによりラッチボルト３１を進退開口穴１６より進出させて、ラッチブロック３１ａをストライク内に維持する。一方、ラッチ装置３は、ハンドル１７の操作に従動したリトラクタ３５の回動により、ラッチボルト３１を進退開口穴１６より後退させて、ハンドル１７の操作力が作用している間、ラッチブロック３１ａをストライク内から離脱させる。
【００２３】
ラッチボルト３１は、ロッド形状を有し、軸がフロント面１１ａに対して直交するようにケース１１の幅方向に沿って延設される。ラッチブロック３１ａは、略直角三角形で形成された略三角柱形状を有し、斜辺面を衝止面として先端に向け、他の１つの矩形面がラッチボルト３１の先端部に固定されている。ラッチバネ３２ａは、伸びる方向に付勢力が蓄積された圧縮バネであり、ケース１１の奥面１１ｂを座面３２ｂとし、ラッチボルト３１の後端部を支え、ラッチボルト３１を進退開口穴１６の方向に付勢している。
【００２４】
ケース１１の内平面１１ｅには、逆Ｌ字状の案内部３３がラッチボルト３１の軸と直交して立設され、またラッチブロック３１ａの背面と対向するように突起部３４が膨出している。案内部３３は、ラッチボルト３１に遊貫されることでラッチボルト３１の進退方向を軸方向にガイドし、突起部３４は、後退するラッチブロック３１ａとの係合によりラッチボルト３１の後退量を規制してラッチボルト３１の進退開口穴１６からの離脱を防止している。
【００２５】
リトラクタ３５は、中心に角状の係合穴３５ｂが貫設された概略円筒形状を有する。このリトラクタ３５は、ケース１１の底面１１ｃと奥面１１ｂとで画成される奥下隅に、ラッチボルト３１を見上げるように設置される。リトラクタ３５の一端面をケース１１の内平面１１ｅに向け、周面をケース１１の側面に向けて設置される。係合穴３５ｂにはハンドル１７の角柱状レバー軸が嵌挿される。このリトラクタ３５は、ハンドル１７の回動操作に従動して係合穴３５ｂを中心に軸回転する。
【００２６】
リトラクタ３５には、その周面にリトラクタレバー３５ａが延設されている。リトラクタレバー３５ａは、リトラクタ３５の上半円周面に基端を有し、上方に向かって延び、先端はラッチボルト３１の軸に至る。ラッチボルト３１には、軸との直交方向に延出した受け板３１ｂが固設されている。受け板３１ｂの固設位置は、ラッチボルト３１の後端部付近である。リトラクタレバー３５ａは、受け板３１ｂに対してフロント面１１ａ側から当接する。このリトラクタレバー３５ａは、ハンドル１７の操作に従動したリトラクタ３５の回動に伴って、直立状態から受け板３１ｂ側に倒れ込むように変位し、ラッチバネ３２ａを縮めながら受け板３１ｂを押し込むことで、ラッチボルト３１を進退開口穴１６からケース１１へ後退させるように付勢する。
【００２７】
また、リトラクタ３５が戻り方向に回動してリトラクタレバー３５ａが立ち上がると、受け板３１ｂが進退開口穴１６方向へ追従して移動可能となり、ラッチバネ３２ａによりラッチボルト３１が進退開口穴１６から進出するように付勢される。以下、リトラクタ３５の回動方向において、リトラクタレバー３５ａが受け板３１ｂに向かって倒れこむ方向を操作方向といい、リトラクタレバー３５ａが受け板３１ｂとは反対側に立ち上がる方向を戻し方向という。
【００２８】
リトラクタ３５には、操作方向と戻し方向の回動量を規制する進み回動規制突片３５ｄ、戻し回動規制突片３５ｅが設けられている。リトラクタ３５の下方には、ストッパ３６がケース１１の内平面１１ｅから立ち上がっている。進み回動規制突片３５ｄ、戻し回動規制突片３５ｅは、リトラクタ３５の周面にストッパ３６を挟み込むように延設されている。
【００２９】
進み回動規制突片３５ｄと戻し回動規制突片３５ｅとは各々が一方の回動規制部であり、ストッパ３６が他方の回動規制部であり、両者は当接によってリトラクタ３５の戻り角度を規制する回動規制手段として機能する。すなわち、リトラクタ３５の回動により進み回動規制突片３５ｄが操作方向側に移動して、進み回動規制突片３５ｄとストッパ３６とが接触すると、リトラクタ３５の操作方向の回動が阻止され、リトラクタ３５の回動により戻し回動規制突片３５ｅが戻し方向側に移動して、戻し回動規制突片３５ｅとストッパ３６とが接触すると、リトラクタ３５の戻し方向の回動が阻止される。
【００３０】
また、リトラクタ３５には、リトラクタ３５を元の角度に戻すための戻しバネ３５ｃが設けられている。戻しバネ３５ｃは、ねじりバネであり、リトラクタ３５に巻装される。戻しバネ３５ｃの一方の腕はストッパ３６にフックしている。他方の腕は、操作方向進み側に位置する戻し回動規制突片３５ｅにフックしている。戻しバネ３５ｃの両腕の自由時角度は、戻し回動規制突片３５ｅとストッパ３６が接触した際の角度よりも小さい。
【００３１】
このため、ハンドル１７の操作によりリトラクタ３５が操作方向に回動すると、戻し回動規制突片３５ｅはストッパ３６から離れる方向に移動し、戻しバネ３５ｃも両腕が離れるように変位し、戻しバネ３５ｃにリトラクタ３５を戻し方向に回動させて元の角度に復帰させる付勢力が蓄積される。そして、ハンドル１７の操作力が解除されると、この付勢力により戻し回動規制突片３５ｅがストッパ３６に接触するまで、リトラクタ３５が戻し方向に回動する。
【００３２】
更に、リトラクタ３５の近傍には、図４に示すように、リトラクタ３５の戻り勢いを緩和する戻り制御レバー３７が設けられている。すなわち、リトラクタ３５の近傍には、戻しバネ３５ｃが発生させるリトラクタ３５の戻り方向へのトルクとは反対のトルクをリトラクタ３５に与える戻り制御レバー３７が設けられている。
【００３３】
戻り制御レバー３７は、リトラクタ３５よりもフロント面１１ａ寄りに配置され、基端３７ｂを底面１１ｃ側にし、フロント面１１ａ側からリトラクタ３５の上半円周面へ向けて延びており、ねじりバネ３７ｃによりリトラクタ３５側に倒れ込むように付勢される。ねじりバネ３７ｃは、一方の腕がケース１１の底面１１ｃに係止され、他方の腕が戻り制御レバー３７に対してフロント面１１ａの側から当接している。両腕の角度は絶えず自由時角度よりも小さく、ねじりバネ３７ｃは、絶えず両腕を広げる方向に蓄勢されている。
【００３４】
戻り制御レバー３７の先端３７ａは、戻し回動規制突片３５ｅ、案内部３３、及びリトラクタ３５を避けながら、案内部３３と受け板３１ｂとで挟まれた領域に及ぶ。具体的には、基端３７ｂから直線上に延びて、途中でリトラクタ３５側に屈曲し、更に先端側が指形状になって上方に反っている。指の腹部分が戻り制御レバー３７の先端３７ａである。
【００３５】
戻り制御レバー３７の先端３７ａは、図３に示すように、リトラクタ３５が戻りきった状態では、上方に直立したリトラクタレバー３６ａに対してフロント面１１ａ側から当接して押圧力を与える。また、戻り制御レバー３７の先端３７ａは、図１に示すように、リトラクタ３５が操作方向へ回動しきった状態では、倒れ込んだリトラクタレバー３５ａから離れ、リトラクタ３５の上半円周辺面にフロント面１１ａ側から当接して押圧力を与える。
【００３６】
すなわち、戻り制御レバー３７は、リトラクタレバー３７ａが倒れ込むことで円周面が露出する角度位置に向かって回転するように設けられ、リトラクタ３５の回動角度、或いはリトラクタレバー３７ａの倒れ込みに応じてリトラクタ３５の外周囲を滑り、トルクを付与する押圧箇所をリトラクタレバー３７ａとリトラクタ３５の円周面とに変更するようになっている。
【００３７】
戻り制御レバー３７がリトラクタ３５に与える最大トルクは、戻しバネ３５ｃとラッチバネ３２ａがリトラクタ３５に与える合計トルクよりも小さくなるように調整されている。戻り制御レバー３７がリトラクタ３５に与える操作方向の最大トルクをＦｘとし、ラッチバネ３２ａがリトラクタレバー３７ａを介してリトラクタ３５に与える戻し方向のトルクをＦ０とし、戻しバネ３５ｃがリトラクタ３５に与える戻し方向のトルクをＦ１とする。このとき、Ｆｘ＜Ｆ０＋Ｆ１が成り立つ。
【００３８】
（作用）
このような錠装置１が有するラッチ装置３の作用について説明する。図１は、ラッチボルトが後退した状態を示す。まず、図１に示すように、操作者がハンドル１７を下に押し下げると、ハンドル１７の回動に従動したリトラクタ３５は、進み回動規制突片３５ｄがストッパ３６に当接するまで操作方向に回動する。戻しバネ３５ｃは、両腕の距離が広げられ、戻し方向に付勢力を蓄勢する。
【００３９】
リトラクタ３５の回動に従動したリトラクタレバー３５ａは、操作方向に倒れ込む。このリトラクタレバー３５ａの倒れ込みに応じて、受け板３１ｂは奥面１１ｂ方向に押し込まれる。受け板３１ｂに固定されたラッチボルト３１は、受け板３１ｂの移動に伴って、ラッチバネ３２ａを圧縮しながら進退開口穴１６からケース１１内に後退する。ラッチブロック３１ａは扉枠のストライクから離脱し、扉の扉枠に対する係止が解除される。
【００４０】
ねじりバネ３７ｃにより付勢された戻り制御レバー３７は、リトラクタレバー３５ａの倒れ込みに従動して奥面１１ｂ方向に倒れ込む。この倒れ込み過程で、戻り制御レバー３７の先端３７ａは、リトラクタレバー３５ａの背中ライン、すなわちリトラクタレバー３５ａのフロント面１１ａ側の辺縁を下り、リトラクタレバー３５ａの基端を経由して、リトラクタ３５の円周面に至る。戻り制御レバー３７によるリトラクタ３５へのトルクは、リトラクタ３５の操作方向への回動力を与えるため、リトラクタ３５の操作方向への回動に対する阻害はない。
【００４１】
ハンドル１７の操作力が解除されると、図１に示すように、戻しバネ３５ｃによるリトラクタ３５の戻し方向のトルクＦ１と、ラッチバネ３２ａがリトラクタレバー３５ａを介してリトラクタ３５に作用させる戻し方向のトルクＦ０とにより、リトラクタ３５は戻し方向に回動を始める。このとき、戻り制御レバー３７は奥面１１ｂ方向に倒れ込み、その先端３７ａはリトラクタ３５の円周面に当接しており、ねじりバネ３７ｃの付勢力によりリトラクタ３５に対して操作方向にトルクＦｘ１を与えている。すなわち、リトラクタ３５は、差し引きのトルク（Ｆ０＋Ｆ１−Ｆｘ１）によって戻し方向に回動し始める。
【００４２】
図２はラッチボルトの進出途中段階を示す。図２に示すように、リトラクタ３５の復帰過程では、リトラクタレバー３５ａがフロント面１１ａ方向に戻っていき、ラッチボルト３１がラッチバネ３２ａの付勢力によりリトラクタレバー３５ａに追随して進退開口穴１６から進出していく。リトラクタレバー３５ａがフロント面１１ａの方向に移動しつつ徐々に立ち上がっていくことで、戻り制御レバー３７の先端３７ａが押圧箇所も、リトラクタ３５の円周面からリトラクタレバー３５ａの基端を通過して、リトラクタレバー３５ａの背中ラインを登っていく。
【００４３】
戻り制御レバー３７の押圧箇所が円周面からリトラクタレバー３５ａに変更されたことに伴い、リトラクタ３５の回動中心から押圧箇所までの距離が拡張する。また、リトラクタレバー３５ａの立ち上がりに応じて、戻り制御レバー３７の押圧力に係るリトラクタ３５の接線方向成分が増加する。そのため、戻り制御レバー３７によるリトラクタ３５に対するトルクはＦｘ２（Ｆｘ２＞Ｆｘ１）に変化する。すなわち、リトラクタ３５の戻し方向のトルクは、差し引きのトルク（Ｆ０＋Ｆ１−Ｆｘ２）に変化する。
【００４４】
図３は、ラッチボルトの進出終了段階であって、リトラクタの回動を規制する回動規制突片とストッパとが衝突段階を示す。リトラクタ３５が更に戻し方向に回動すると、戻し回動規制突片３５ｅがストッパ３６に当接する。この当接をもってリトラクタ３５の回動は終了する。この回動終了時点では、リトラクタレバー３５ａは概略直立し、受け板３１ｂはリトラクタレバー３５ａの直立分だけフロント面１１ａ側へ移動可能となり、ラッチバネ３２ａで付勢されたラッチボルト３１が進退開口穴１６を介してケース１１から進出し、ラッチブロック３１ａがストライクへ進入する。
【００４５】
戻し回動規制突片３５ｅのストッパ３６への当接直前では、リトラクタレバー３５ａの概略直立に伴って戻り制御レバー３７の先端３７ａがリトラクタレバー３５ａを更に登り、リトラクタ３５の回動中心から押圧箇所までの距離が更に拡張する。また、戻り制御レバー３７の押圧力に係るリトラクタ３５の接線方向成分が更に増加する。そのため、戻り制御レバー３７によるリトラクタ３５に対するトルクはＦｘ３（Ｆｘ３＞Ｆｘ２＞Ｆｘ１）に変化する。すなわち、リトラクタ３５に付与される戻し方向のトルクは、差し引きのトルク（Ｆ０＋Ｆ１−Ｆｘ３）に変化する。
【００４６】
尚、リトラクタ３５の周面にリトラクタレバー３５ａの基端を通る仮想接線を描き、リトラクタレバー３５ａの背中ラインを仮想接線よりもフロント面１１ａ側に反らせると、リトラクタレバー３５ａの直立状態で、戻り制御レバー３７の押圧力に係るリトラクタ３５の接線方向成分が更に増加する。
【００４７】
図５は、戻し回動規制突片３５ｅとストッパ３６との距離、戻り制御レバー３７の先端とリトラクタ３５の回動中心との距離、戻り制御レバー３７がリトラクタ３５に与えるトルクの変化、及びリトラクタ３５の戻し方向のトルク変化の関係を表したグラフである。横軸は時間である。
【００４８】
図５に示すように、リトラクタ３５が戻し方向に回動し、戻し回動規制突片３５ｅとストッパ３６との距離がゼロに縮まる過程では、戻り制御レバー３７が反対トルクをかけ続けるため、リトラクタ３５の戻り勢いが緩和される。そのため、戻し回動規制突片３５ｅとストッパ３６との接触直前でリトラクタ３５の角速度は大幅に減殺され、戻し回動規制突片３５ｅとストッパ３６との衝突音は大幅に抑制される。
【００４９】
特に、本実施形態のラッチ装置３では、戻り制御レバー３７がリトラクタ３５に対してトルクをかける押圧箇所がリトラクタ３５の円周面からリトラクタレバー３５ａの背中ラインに変化し、更にリトラクタレバー３５ａの先端側に変位していく。
【００５０】
すなわち、戻り制御レバー３７の先端３７ａとリトラクタ３５の回動中心との距離は、リトラクタ３５の円周面従動中は一定であるが、リトラクタレバー３５ａの基端通過以降、戻り制御レバー３７の先端３７ａがリトラクタレバー３５ａを登っていくため、暫時拡がっていく。
【００５１】
そうすると、リトラクタ３５の円周面従動中は、戻り制御レバー３７がリトラクタ３５に付与するトルクは一定であるが、戻り制御レバー３７の従動位置がリトラクタレバー３５ａの基端通過以降、戻り制御レバー３７がリトラクタ３５付与するトルクは暫時増加していく。
【００５２】
換言すると、リトラクタ３５に作用する戻し方向の合計トルクは、戻り制御レバー３７がリトラクタ３５の円周面を従動している段階では一定であるが、戻り制御レバー３７の従動位置がリトラクタレバー３５ａの基端の通過以降、暫時減少していくこととなる。
【００５３】
このような戻り制御レバー３７によるリトラクタ３５へのトルク変化構成は、ラッチボルト３１を迅速に進退開口穴１６から進出させつつ、リトラクタ３５から発生する戻し回動規制突片３５ｅとストッパ３６との衝突音を抑制する作用を生む。
【００５４】
（効果）
以上のように、錠装置１に設けられたラッチ装置３は、ハンドル１７の操作方向に応じてリトラクタ３５を回動させ、リトラクタ３５によりラッチボルト３１をケース１１から後退する方向に押し込むようにした。そして、ハンドル１７の操作解除に伴い、リトラクタ３５を元の角度へ戻す方向に回動させる戻しバネ３５ｃと、リトラクタ３５の戻り角度を規制する戻し回動規制突片３５ｅとストッパ３６を設けた。
【００５５】
更に、リトラクタ３５に対して操作方向のトルクを与えて、戻しバネ３５ｃによるリトラクタ３５の戻し勢いを緩和する戻り制御レバー３７を設けた。戻り制御レバー３７がリトラクタ３５に与えるトルクは、リトラクタ３５が元の角度に戻る方向に与えられるトルクよりも小さく調整しておく。
【００５６】
これにより、リトラクタ３５が元の角度に戻る勢いは大幅に減殺されるため、戻し回動規制突片３５ｅとストッパ３６の勢いの付いた衝突を抑制し、衝突音を抑制できる。また、戻り制御レバー３７は、リトラクタ３５の操作方向への回動を阻害する要因にはならないため、ハンドル１７の円滑な操作感を損なうことなく、且つラッチボルト３１の速やかなるストライクからの退出を両立することができる。
【００５７】
また、戻り制御レバー３７によるリトラクタ３５の押圧箇所は、リトラクタ３５が戻し方向に回動する過程で、リトラクタ３５の円周面からリトラクタレバー３５ａの基端を通過し、リトラクタレバー３５ａを登るように変位させるようにした。すなわち、戻り制御レバー３７によるリトラクタ３５の押圧箇所は、リトラクタ３５が戻し方向に回動する過程で、リトラクタ３５の回動中心から離れていくようにした。
【００５８】
これにより、ハンドル１７の操作力解除後しばらくは、戻り制御レバー３７がリトラクタ３５に対して与えるトルクが弱められるため、衝突音の抑制とともに、ラッチボルト３１の速やかなるストライクへの進出を両立することができる。
【００５９】
（その他の実施形態）
以上のように本発明の実施形態を説明したが、発明の要旨を逸脱しない範囲で、種々の省略、置き換え、変更を行うことができる。そして、この実施形態やその変形は、発明の範囲や要旨に含まれるとともに、特許請求の範囲に記載された発明とその均等の範囲に含まれる。
【００６０】
例えば、本実施形態では、デッドボルト２１を併用する錠装置１を例にラッチ装置３を説明したが、デッドボルト２１を有しない空錠装置に適用することも可能である。また、錠装置１や空錠装置は、扉枠側に設置することもできるし、扉以外にも窓や蓋等を係止するために適用することも可能である。
【００６１】
また、リトラクタ３５に操作方向のトルクを与えて戻し勢いを緩和させる態様として、本実施形態では戻り制御レバー３７を例示したが、レバーに限らず、各種の戻り制御手段を採用することもできる。例えば、引張りバネを戻り制御手段に採用することもでき、引張りバネの一端を奥面１１ｂにフックし、他端をリトラクタ３５の上半円側に固定するようにしてもよい。
【００６２】
また、戻しバネ３５ｃについても、リトラクタ３５に巻装されるねじりバネの他、圧縮バネを採用することもできる。圧縮バネはフロント面１１ａを座面とする。リトラクタ３５には下半円部分の周面又は端面に突片を設けておく。そして、圧縮バネで突片を奥面１１ｂ方向に付勢する。
【符号の説明】
【００６３】
１  錠装置
１１  ケース
１１ａ  フロント面
１１ｂ  奥面
１１ｃ  底面
１１ｄ  上面
１１ｅ  内平面
１２  固定板
１３  固定ビス
１４  フロント板
１５  進退開口穴
１６  進退開口穴
１７  ハンドル
２  デッドボルト駆動部
２１  デッドボルト
２２  カマデッドボルト
２３  ダルマ
３  ラッチ装置
３１  ラッチボルト
３１ａ  ラッチブロック
３１ｂ  受け板
３２ａ  ラッチバネ
３２ｂ  座面
３３    案内部
３４    突起部
３５  リトラクタ
３５ａ  リトラクタレバー
３５ｂ  係合穴
３５ｃ  戻しバネ
３５ｄ  回動規制突片
３５ｅ  回動規制突片
３６  ストッパ
３７  戻り制御レバー
３７ａ  先端
３７ｂ  基端
３７ｃ  ねじりバネ
３７ｄ  座面
【図１】
2014181474.tif 000003
【図２】
2014181474.tif 000004
【図３】
2014181474.tif 000005
【図４】
2014181474.tif 000006
【図５】
2014181474.tif 000007